(57)【要約】      （修正有）【課題】カメラマンが、クライアントとオンラインでやり取りすることで、商品としての綺麗な写真を提供することが可能なオンライン撮影システムを提供する。【解決手段】映像表示制御部２０１は、第一の携帯端末の前面カメラでクライアント側の被写体を撮影して、第一の携帯端末の背面画面に表示させる。映像送信制御部２０２は、第二の携帯端末の前面カメラで、第一の携帯端末の背面画面と被写体の周囲の環境とを、環境映像として撮影して、カメラマン端末に送信する。タイミング送信制御部２０３は、環境映像とカメラマンの入力とに基づいて、被写体への撮影タイミングを第二の携帯端末に送信する。写真送信制御部２０４は、撮影タイミングとクライアントの入力とに基づいて、被写体を撮影して、サーバに保存させる。写真加工制御部２０５は、サーバに保存された被写体写真とカメラマンの操作とに基づいて、被写体写真を加工し、加工後の写真をサーバに保存させて、第一又は第二の携帯端末で閲覧可能とする。【選択図】図２
0003228959.tif 000002
【実用新案登録請求の範囲】
【請求項１】
カメラマン側に存在するカメラマン端末と、クライアント側に存在するカメラ付きの第一の携帯端末と、カメラ付きの第二の携帯端末と、データを保存するサーバと、前記カメラマン端末と前記第一の携帯端末と前記第二の携帯端末と前記サーバとを通信可能に接続するネットワークと、を備えるオンライン撮影システムであって、
前記第一の携帯端末において、当該第一の携帯端末の前面のカメラで前記クライアント側に存在する被写体を被写体映像として撮影して、当該被写体映像を前記第一の携帯端末の背面画面に表示させる映像表示制御部と、
前記第二の携帯端末において、当該第二の携帯端末の前面のカメラで、前記第一の携帯端末の背面画面と、前記被写体の周囲の環境とを、環境映像として撮影して、当該環境映像を前記カメラマン端末に送信する映像送信制御部と、
前記カメラマン端末において、前記環境映像と前記カメラマンの入力とに基づいて、前記被写体への撮影タイミングを前記第二の携帯端末に送信するタイミング送信制御部と、
前記第一の携帯端末において、前記撮影タイミングと前記クライアントの入力とに基づいて、前記被写体を被写体写真として撮影して、当該被写体写真を前記サーバに保存させる写真送信制御部と、
前記カメラマン端末において、前記サーバに保存された被写体写真と前記カメラマンの操作とに基づいて、当該被写体写真を加工し、加工後の被写体写真を前記サーバに保存させて、前記第一の携帯端末又は前記第二の携帯端末で閲覧可能とする写真加工制御部と、
を備えるオンライン撮影システム。
【請求項２】
前記オンライン撮影システムは、専用ツールを備え、
前記専用ツールは、
前記第一の携帯端末の前面のカメラを前方に向けた状態で前記第一の携帯端末の一部を把持する第一の把持部と、
一端が前記第一の把持部の一部に接続され、前記第一の携帯端末の背面に向かって伸びたアーム部と、
一部が前記アーム部の他端に接続され、前記第二の携帯端末の前面のカメラを、前記第一の携帯端末の背面画面に向けた状態で、前記第一の携帯端末に対面する前記第二の携帯端末の位置をずらして、前記第二の携帯端末の一部を把持する第二の把持部と、
を備える、
請求項１に記載のオンライン撮影システム。
【考案の詳細な説明】
【技術分野】
【０００１】
本考案は、オンライン撮影システムに関する。
【背景技術】
【０００２】
従来より、ネットワークを介してオンラインで綺麗な写真を撮影するシステムに関する技術が多数存在する。例えば、特開２０１２−３４２８１号公報（特許文献１）には、写真撮影者用ガイダンスシステムが開示されている。このシステムは、フォトセットアップ記述子として記憶される情報に基づき写真露出の示唆を提供するよう場所、日時、手動ユーザ入力に応答する。時間、場所、天候等の条件とともにユーザ入力に応答して、データベース要求が記憶データに対して実行され、フォトセットアップ記述子のリザルトセットが生成される。記述子は、撮影者が所定のパラメータに一致して写真露出をセットアップするのを助けるよう手動及び自動で使用される。システムはＤＳＬＲカメラに直に結合され、その制御部及びインターフェースを介して操作することができる。代替例では、システムは、ＤＳＬＲ制御に結合された出力部を備える独立した制御部及びユーザインターフェースを有する。他の例では、完全手動システムは、リザルトセットで提示されるパラメータに一致して当該技術のカメラをセットアップすることを撮影者に委ねる。これにより、撮影者は、次から次へ順に移動するたびに写真露出を実行することができる。
【０００３】
又、特開２０１４−２５９８８号公報（特許文献２）には、生徒が利用するクライアント装置と、生徒に撮影の指導を行うための指導者候補をデータベースに登録する指導者候補登録手段を備えるサーバ装置とが、ネットワークを通じて通信可能に接続された撮影指導システムが開示されている。このシステムでは、クライアント装置は、生徒から指導リクエストを受けた際に、生徒が撮影した写真に係る画像データを取得してサーバ装置に送信する。サーバ装置は、クライアント装置から送信された画像データを分析して指導者の選出条件を設定する画像データ分析部と、画像データ分析部で設定した選出条件に基づいてデータベースに登録されている指導者候補の中から指導者を選出する指導者選出部と、指導者選出部で選出した指導者が利用する端末装置とクライアント装置との間で通信確立を行うシステム情報処理部を備える。これにより、生徒が写真撮影中にその場ですぐに指導者によるアドバイスが欲しいような状況で、生徒に作業の手間がかかることなく生徒のニーズに合致した指導者を選出して提示する仕組みを提供することが出来る。
【先行技術文献】
【特許文献】
【０００４】
【特許文献１】特開２０１２−３４２８１号公報
【特許文献２】特開２０１４−２５９８８号公報
【考案の概要】
【考案が解決しようとする課題】
【０００５】
従来、カメラマンが、クライアントの元へ出向いて、例えば、マタニティフォトやニューボーンフォト等の写真撮影を行うサービスは存在する。しかしながら、近年の新型コロナウイルス感染症の影響により、カメラマンが、クライアントの元へ出向くことを控える状況になっている。又、クライアントでは、不要不急の外出自粛を余儀なくされている。
【０００６】
カメラマンは、被写体を含む所定の写真があれば、自身の端末装置を用いて綺麗な写真に加工して、綺麗な写真を商品としてクライアントに提供することが出来る。一方、クライアントは、自宅内であれば、クライアント自身で被写体を撮影することが出来る。
【０００７】
ここで、カメラマンが、クライアントの元に行かずに、商品としての綺麗な写真をクライアントに提供するためには、ある程度、被写体の周囲の光の質が整っている等の所定の条件を満たした写真が必要である。
【０００８】
特許文献１に記載の技術では、撮影者がガイダンスを受けて写真撮影することが出来る。特許文献２に記載の技術では、生徒がクライアント装置を利用してニーズに合致する指導者を見つけ出すことが出来る。しかしながら、特許文献１−２に記載の技術では、カメラマンとクライアントとがオンラインでやり取りして、カメラマンが希望する所定の条件を満たした写真を得ることは出来ないという課題がある。
【０００９】
そこで、本考案は、課題を解決するためになされたものであり、カメラマンが、クライアントとオンラインでやり取りすることで、商品としての綺麗な写真を提供することが可能なオンライン撮影システムを提供することを目的とする。
【課題を解決するための手段】
【００１０】
本考案者は、鋭意研究を重ねた結果、本考案に係る新規なオンライン撮影システムを完成させた。即ち、本考案に係るオンライン撮影システムは、カメラマン側に存在するカメラマン端末と、クライアント側に存在するカメラ付きの第一の携帯端末と、カメラ付きの第二の携帯端末と、データを保存するサーバと、前記カメラマン端末と前記第一の携帯端末と前記第二の携帯端末と前記サーバとを通信可能に接続するネットワークと、を備えるオンライン撮影システムであって、映像表示制御部と、映像送信制御部と、タイミング送信制御部と、写真送信制御部と、写真加工制御部と、を備える。映像表示制御部は、前記第一の携帯端末において、当該第一の携帯端末の前面のカメラで前記クライアント側に存在する被写体を被写体映像として撮影して、当該被写体映像を前記第一の携帯端末の背面画面に表示させる。映像送信制御部は、前記第二の携帯端末において、当該第二の携帯端末の前面のカメラで、前記第一の携帯端末の背面画面と、前記被写体の周囲の環境とを、環境映像として撮影して、当該環境映像を前記カメラマン端末に送信する。タイミング送信制御部は、前記カメラマン端末において、前記環境映像と前記カメラマンの入力とに基づいて、前記被写体への撮影タイミングを前記第二の携帯端末に送信する。写真送信制御部は、前記第一の携帯端末において、前記撮影タイミングと前記クライアントの入力とに基づいて、前記被写体を被写体写真として撮影して、当該被写体写真を前記サーバに保存させる。写真加工制御部は、前記カメラマン端末において、前記サーバに保存された被写体写真と前記カメラマンの操作とに基づいて、当該被写体写真を加工し、加工後の被写体写真を前記サーバに保存させて、前記第一の携帯端末又は前記第二の携帯端末で閲覧可能とする。
【考案の効果】
【００１１】
本考案によれば、カメラマンが、クライアントとオンラインでやり取りすることで、商品としての綺麗な写真を提供することが可能となる。
【図面の簡単な説明】
【００１２】
【図１】本考案の実施形態に係るオンライン撮影システムの一例を示す概略図である。
【図２】本考案の実施形態に係るオンライン撮影システムの機能ブロック図である。
【図３】本発明の実施形態に係るオンライン撮影システムの実行手順を示すためのフローチャートである。
【図４】第一の携帯端末での被写体映像の撮影の一例を示す図（図４Ａ）と、第二の携帯端末での環境映像の撮影とカメラマン端末への送信の一例を示す図（図４Ｂ）と、である。
【図５】専用ツールの一例を示す背面図と側面図（図５Ａ）と、専用ツールの使用状態の一例を示す側面図（図５Ｂ）と、である。
【図６】カメラマン端末での撮影タイミングの送信と第一の携帯端末での被写体写真の撮影の一例を示す図（図６Ａ）と、第一の携帯端末での被写体写真の送信とサーバでの保存の一例を示す図（図６Ｂ）と、である。
【図７】カメラマン端末での被写体写真の加工の一例を示す図（図７Ａ）と、第一の携帯端末と第二の携帯端末での加工後の被写体写真の閲覧の一例を示す図（図７Ｂ）と、である。
【図８】加工前の被写体写真の一例と加工後の被写体写真の一例とを示す図である。
【考案を実施するための形態】
【００１３】
以下に、添付図面を参照して、本考案の実施形態について説明し、本考案の理解に供する。尚、以下の実施形態は、本考案を具体化した一例であって、本考案の技術的範囲を限定する性格のものではない。
【００１４】
本発明に係るオンライン撮影システム１は、図１に示すように、カメラマン端末１０と、カメラ付きの第一の携帯端末１１と、カメラ付きの第二の携帯端末１２と、サーバ１３と、ネットワーク１４と、を備えている。
【００１５】
カメラマン端末１０と、第一の携帯端末１１と、第二の携帯端末１２とは、一般的に使用される端末装置である。端末装置は、画面を表示する表示部（出力部）と、ユーザの操作により所定の指示の入力を受け付ける受付部（入力部）と、無線通信用の通信部と、データを記憶させる記憶部と、各部を制御する制御部と、を備えている。端末装置の通信部は、ネットワーク１４を介してサーバ１３と無線通信可能である。
【００１６】
カメラマン端末１０は、カメラマン側に存在する端末装置を意味し、例えば、ディスクトップ型の端末装置、携帯用のノートパソコン、タッチパネル付きの携帯端末装置（スマートフォン）、タブレット型端末装置等を挙げることが出来る。
【００１７】
第一の携帯端末１１と、第二の携帯端末１２とは、クライアント側に存在するカメラ付きの携帯端末装置を意味し、例えば、タッチパネル付きの携帯端末装置、タブレット型端末装置、携帯用のノートパソコン等を挙げることが出来る。
【００１８】
サーバ１３は、一般的に使用されるコンピュータ等であり、基本的に、無線及び有線通信用の通信部と、データを蓄積する記憶部と、各部を制御する制御部と、を備えている。サーバ１３は、ネットワーク１４を経由してカメラマン端末１０と、第一の携帯端末１１と、第二の携帯端末１２とデータの送受信をする。
【００１９】
ネットワーク１４は、カメラマン端末１０と、第一の携帯端末１１と、第二の携帯端末１２と、サーバ１３とのそれぞれに通信可能に接続される。ネットワーク１４は、Ｗｉｆｉ（登録商標）アクセスポイントを介したＬＡＮ（Ｌｏｃａｌ  Ａｒｅａ  Ｎｅｔｗｏｒｋ）の他、無線基地局を介したＷＡＮ（Ｗｉｄｅ  Ａｒｅａ  Ｎｅｔｗｏｒｋ）、第３世代（３Ｇ）の通信方式、ＬＴＥなどの第４世代（４Ｇ）の通信方式、第５世代（５Ｇ）以降の通信方式、Ｂｌｕｅｔｏｏｔｈ（登録商標）、特定小電力無線方式等の無線通信ネットワークを含む。
【００２０】
カメラマン端末１０と、第一の携帯端末１１と、第二の携帯端末１２と、サーバ１３とは、図示しないＣＰＵ、ＲＯＭ、ＲＡＭ、ＨＤＤ、ＳＳＤ等を内蔵しており、ＣＰＵは、例えば、ＲＡＭを作業領域として利用し、ＲＯＭ、ＨＤＤ、ＳＳＤ等に記憶されているプログラムを実行する。又、後述する各部についても、ＣＰＵがプログラムを実行することで当該各部を実現する。
【００２１】
次に、図２、図３を参照しながら、本発明の実施形態に係る構成及び実行手順について説明する。先ず、カメラマンが、クライアントに連絡して、カメラマン端末１０をクライアントの第一の携帯端末１１又は第二の携帯端末１２と通信可能に接続する。カメラマン端末１０と第一の携帯端末１１又は第二の携帯端末１２との通信接続の形態に特に限定は無いが、例えば、所定のオンラインアプリを用いて、カメラマン端末１０と第一の携帯端末１１又は第二の携帯端末１２とが双方向通信出来るようにしたり、カメラマン端末１０と第一の携帯端末１１又は第二の携帯端末１２とがネットワーク１４のブラウザを介して双方向通信出来るようにしたりすれば良い。
【００２２】
次に、カメラマンが、カメラマン端末１０を介して、第一の携帯端末１１のカメラを被写体（ここでは、赤ちゃん）に向けるようにクライアントに指示し、図４Ａに示すように、クライアントが、第一の携帯端末１１の前面のカメラ１１ａを被写体に向け、第一の携帯端末１１のカメラ撮影モードを起動させると、第一の携帯端末１１の映像表示制御部２０１は、カメラ１１ａで、クライアント側に存在する被写体Ｓを被写体映像Ｖ１として撮影して、当該被写体映像Ｖ１を第一の携帯端末１１の背面画面１１ｂに表示させる（図３：Ｓ１０１）。
【００２３】
そして、カメラマンが、カメラマン端末１０を介して、第二の携帯端末１２のカメラを第一の携帯端末１１の背面画面１１ｂに向けるようにクライアントに指示し、図４Ｂに示すように、クライアントが、第二の携帯端末１２の前面のカメラ１２ａを第一の携帯端末１１の背面画面１１ｂに向け、第二の携帯端末１２のカメラ撮影モードを起動させると、第二の携帯端末１２の映像送信制御部２０２は、第二の携帯端末１２の前面のカメラ１２ａで、第一の携帯端末１１の背面画面１１ｂと、被写体Ｓの周囲の環境とを、環境映像Ｖ２として撮影して、当該環境映像をカメラマン端末１０に送信する（図３：Ｓ１０２）。
【００２４】
カメラマン端末１０では、第二の携帯端末１２から環境映像Ｖ２を受信すると、その環境映像Ｖ２をオンラインでカメラマン端末１０の画面１０ａに表示させる。ここで、環境映像Ｖ２は、第一の携帯端末１１の背面画面１１ｂの一部（被写体映像Ｖ１の一部）と、被写体Ｓの周囲の環境とが映し出されている。これにより、カメラマンは、クライアントが第一の携帯端末１１で撮影している被写体映像Ｖ１と、被写体Ｓの周囲の環境とを、環境映像Ｖ２から知ることが可能となる。
【００２５】
ここで、被写体Ｓの周囲の環境は、カメラマンが写真を加工する際には、極めて重要な要因となる。クライアントが、被写体Ｓの周囲の環境を考慮せずに、第一の携帯端末１１のカメラ１１ａで撮影した被写体写真では、被写体Ｓの周囲の光の質が整っていないことが多く、能力の高いカメラマンがこのような被写体写真を加工しても、綺麗に加工することは出来ない。
【００２６】
本考案では、被写体映像Ｖ１とともに、被写体Ｓの周囲の環境とを映し出した環境映像Ｖ２をカメラマン端末１０に送信することで、カメラマンが、クライアント側の被写体Ｓの周囲の環境を確認し、クライアントが被写体Ｓの写真を撮影する前に、被写体Ｓの周囲の光の質を整えるように、クライアントに指示することが出来る。カメラマンがクライアントに指示する内容は、例えば、被写体Ｓが存在する部屋の明かりの点灯を制御させたり、部屋の窓の開閉により窓からの光を制御させたりすることである。これにより、カメラマンが、被写体Ｓの周囲の光の質を整えた上で、クライアントに被写体Ｓの写真の撮影をさせることが出来る。
【００２７】
尚、第二の携帯端末１２の映像送信制御部２０２は、第一の携帯端末１１の映像表示制御部２０１と同様に、第二の携帯端末１２の背面画面１２ｂに環境映像Ｖ２を表示させて、クライアントにも確認出来るようにしても良い。
【００２８】
ところで、本考案では、第一の携帯端末１１のカメラ１１ａと第二の携帯端末１２のカメラ１１ａとの二つのカメラを用いて、被写体映像Ｖ１と被写体Ｓの周囲の環境とを撮影しなければならない。そのため、第一の携帯端末１１のカメラ１１ａを操作するクライアントに、第二の携帯端末１２のカメラ１２ａを操作する他のクライアントが必要になる事態も想定される。一方で、第二の携帯端末１２のカメラ１２ａは、第一の携帯端末１１の背面画面１１ｂに対して所定の距離を保った位置に存在していれば、１人のクライアントであっても、第一の携帯端末１１のカメラ１１ａと第二の携帯端末１２のカメラ１１ａとを操作することは可能である。
【００２９】
そこで、本考案では、図５Ａに示すように、第一の携帯端末１１と第二の携帯端末１２とを所定の距離を保って固定する専用ツール２を備えると好ましい。専用ツール２は、第一の携帯端末１１の前面のカメラ１１ａを前方に向けた状態で第一の携帯端末１１の一部を把持する第一の把持部２０と、一端が第一の把持部２０の一部に接続され、第一の携帯端末１１の背面に向かって伸びたアーム部２１と、一部がアーム部２１の他端に接続され、第二の携帯端末１２の前面のカメラ１２ａを、第一の携帯端末１１の背面画面１１ｂに向けた状態で、第一の携帯端末１１に対面する第二の携帯端末１２の位置をずらして、第二の携帯端末１２の一部を把持する第二の把持部２２と、を備える。
【００３０】
これにより、クライアントは、図５Ｂに示すように、専用ツール２のアーム部２１を持つことで、１人のクライアントで、第一の携帯端末１１のカメラ１１ａで被写体映像Ｖ１を撮影しながら、第二の携帯端末１２のカメラ１２ａで第一の携帯端末１１の背面画面１１ｂと被写体Ｓの周囲の環境の環境映像Ｖ２を撮影することが出来る。又、第一の携帯端末１１のカメラ１１ａで写真を撮影する場合は、クライアントが、専用ツール２のアーム部２１を持ちながら、第一の携帯端末１１の背面画面１１ｂの撮影キーを操作すればよいので、この場合であっても、１人のクライアントで行うことが可能となる。
【００３１】
さて、カメラマンが、カメラマン端末１０の画面１０ａで環境映像Ｖ２を見ながら、クライアントに被写体Ｓの周囲の環境を調整するように指示し、その調整が完了すると、カメラマンは、図６Ａに示すように、カメラマン端末１０に撮影タイミングを入力する。すると、カメラマン端末１０のタイミング送信制御部２０３は、環境映像Ｖ２とカメラマンの入力とに基づいて、被写体Ｓへの撮影タイミングを第二の携帯端末１２に送信する（図３：Ｓ１０３）。
【００３２】
ここで、撮影タイミングの送信形態に特に限定は無いが、例えば、図６Ａに示すように、カメラマン端末１０と第二の携帯端末１２とがオンラインで双方向通信している場合に、カメラマンが、所定の掛け声（例えば、「ＧＯ」）をカメラマン端末１０に入力することで、音声データが第二の携帯端末１２に送信され、クライアントが第二の携帯端末１２でカメラマンの掛け声を聞くことで、撮影タイミングを把握しても良い。又、カメラマンが、所定の撮影指示（例えば、「撮影してください」）をカメラマン端末１０に入力することで、文字データが第二の携帯端末１２に送信され、クライアントが第二の携帯端末１２でカメラマンの撮影指示を見ることで、撮影タイミングを把握しても良い。
【００３３】
さて、クライアントが、撮影タイミングを第二の携帯端末１２で受信すると、図６Ａに示すように、第一の携帯端末１１の背面画面１１ｂの撮影キーを操作し、撮影指示を第一の携帯端末１２に入力すると、第一の携帯端末１１の写真送信制御部２０４は、撮影タイミングとクライアントの入力とに基づいて、被写体Ｓを被写体写真Ｐ０として撮影して、図６Ｂに示すように、当該被写体写真Ｐ０をサーバ１３に保存させる（図３：Ｓ１０４）。
【００３４】
ここで、第一の携帯端末１１が被写体写真Ｐ０をサーバ１３にネットワーク１４を介して送信し、サーバ１３が被写体写真Ｐ０を受信して保存する場合に特に限定は無い。例えば、被写体写真Ｐ０のデータのサイズが著しく大きい場合は、サーバ１４が、第一の携帯端末１１から被写体写真Ｐ０を受信した際に、被写体写真Ｐ０のデータのサイズが所定の許可サイズ以下であるかを判定し、被写体写真Ｐ０のデータのサイズが許可サイズ以下の場合は、サーバ１３は、所定のメモリ領域に被写体写真Ｐ０を保存し、被写体写真Ｐ０のデータのサイズが許可サイズを超える場合は、サーバ１３は、エラーを第一の携帯端末１１に送信して、撮影する写真のデータのサイズを小さくするために写真撮影条件の調整を促すメッセージを表示させる。これにより、被写体写真Ｐ０のデータのサイズが許可サイズよりも大きい場合は、被写体写真Ｐ０の保存を行わないように構成することで、データのサイズが大きい被写体写真Ｐ０の保存によるサーバ１４のメモリ領域の圧迫を回避することが出来る。
【００３５】
さて、クライアントが、被写体写真Ｐ０を撮影してサーバ１３に保存させると、第一の携帯端末１１又は第二の携帯端末１２を介して、カメラマンに撮影完了を伝える。すると、カメラマンは、図７Ａに示すように、カメラマン端末１０を使って、サーバ１４にアクセスし、サーバ１４に保存された被写体写真Ｐ０を取得する。そして、カメラマンは、カメラマン端末１０を操作することで、被写体写真Ｐ０の加工を行う。カメラマン端末１０の写真加工制御部２０５は、サーバ１３に保存された被写体写真Ｐ０とカメラマンの操作とに基づいて、当該被写体写真Ｐ０を加工し、加工後の被写体写真Ｐ１をサーバ１３に保存させる（図３：Ｓ１０５）。
【００３６】
ここで、被写体写真Ｐ０は、カメラマンがクライアントに指示して、被写体Ｓの周囲の光の質を整えた写真になっているため、カメラマンは、被写体写真Ｐ０を使って綺麗な被写体写真Ｐ１に容易に加工することが出来る。
【００３７】
カメラマンが被写体写真Ｐ０を綺麗に加工して、カメラマン端末１０を使って、加工後の被写体写真Ｐ１をサーバ１３に保存させて、クライアントに写真加工が完了したことを伝える。すると、クライアントは、図７Ｂに示すように、第一の携帯端末１１又は第二の携帯端末１２を使って、サーバ１３にアクセスすると、サーバ１３は、第一の携帯端末１１と第二の携帯端末１２とにネットワーク１４を介して通信可能に接続されており、サーバ１３の加工後の被写体写真Ｐ１は、第一の携帯端末１１又は第二の携帯端末１２で閲覧可能である。そのため、クライアントは、第一の携帯端末１１又は第二の携帯端末１２で、サーバ１３に保存された加工後の被写体写真Ｐ１を確認することが出来る。このように、本考案では、カメラマンとクライアントとがお互い別々の場所にいたとしても、カメラマンが、クライアントとオンラインでやり取りすることで、商品としての綺麗な写真を提供することが可能となるのである。
【００３８】
さて、本考案の実施形態に係るオンライン撮影システム１の作用効果について説明する。例えば、カメラマンが、カメラマン端末１０を使って、ネットワーク１４を介して、クライアントの第一の携帯端末１１又は第二の携帯端末１２と通信し、クライアントに被写体Ｓ（ここでは、赤ちゃん）の映像を撮影するように依頼する。クライアントは、第一の携帯端末１１のカメラ１１ａで被写体Ｓの映像を撮影するとともに、第二の携帯端末１２のカメラ１２ａで、被写体映像が表示された第一の携帯端末１１の背面画面１１ｂと、被写体Ｓの周囲の環境との環境映像を撮影する。
【００３９】
カメラマンは、カメラマン端末１１を介して、環境映像を見ながら、被写体Ｓの周囲の光の質を整えるようにクライアントに指示し、被写体Ｓの周囲の光の質が整うと、撮影タイミングをクライアントの第二の携帯端末１２に送信する。
【００４０】
クライアントは、第二の携帯端末１２から撮影タイミングを受けると、第一の携帯端末１１のカメラ１１ａで被写体写真Ｐ０を撮影し、第一の携帯端末１１を使って、ネットワーク１４上のサーバ１３に被写体写真Ｐ０を保存させる。
【００４１】
カメラマンは、カメラマン端末１０を使って、サーバ１３の被写体写真Ｐ０を取得し、カメラマン端末１０を操作して、被写体写真Ｐ０を加工し、加工後の被写体写真Ｐ０をサーバ１３に保存させて、クライアントでも閲覧可能な状態とする。
【００４２】
ここで、図８には、加工前の被写体写真の一例と加工後の被写体写真の一例とを示す。図８に示すように、加工前の被写体写真は、クライアント側の一室で被写体の赤ちゃんが写っている。この加工前の被写体写真では、赤ちゃんの周囲の光の質が整っているが、赤ちゃんの周囲の情景は、クライアント側の一室の床を示している。
【００４３】
一方、加工後の被写体写真は、加工前の被写体写真中の赤ちゃんを利用して、花や飾り物等の綺麗なオブジェが赤ちゃんと一緒に写っている。この加工後の被写体写真では、まるで、カメラマンが綺麗なスタジオで赤ちゃんとオブジェとを一緒に撮影されたかのように加工されている。このように、光の質が整った被写体写真があれば、たとえ、クライアントが撮影した被写体写真であっても、カメラマン側で綺麗に加工して、商品としての綺麗な写真を提供することが出来ることが理解される。このように、本考案に係るオンライン撮影システムでは、カメラマンが、クライアントとオンラインでやり取りすることで、商品としての綺麗な写真を提供することが出来るのである。
【産業上の利用可能性】
【００４４】
以上のように、本考案は、カメラマンとクライアントとが国内でお互い別々の場所にいる場合に限らず、国外でお互い別々の場所にいる場合であってもオンライン撮影システムとして有用であり、カメラマンが、クライアントとオンラインでやり取りすることで、商品としての綺麗な写真を提供することが可能なオンライン撮影システムとして有効である。
【符号の説明】
【００４５】
１    オンライン撮影システム
１０  カメラマン端末
１１  第一の携帯端末
１２  第二の携帯端末
１３  サーバ
１４  ネットワーク
２  専用ツール
２０１  映像表示制御部
２０２  映像送信制御部
２０３  タイミング送信制御部
２０４  写真送信制御部
２０５  写真加工制御部
【図１】
0003228959.tif 000003
【図２】
0003228959.tif 000004
【図３】
0003228959.tif 000005
【図４】
0003228959.tif 000006
【図５】
0003228959.tif 000007
【図６】
0003228959.tif 000008
【図７】
0003228959.tif 000009
【図８】
0003228959.tif 000010